(57)【要約】【課題】  火災時において電装品箱から部品が落下することを防止するとともに電装品箱内部に火が回り込むことを防止することができる電装品箱の組立体およびその取付構造を提供する。【解決手段】  電装品箱２１の組立体２は、電装品箱２１と、放熱部材２２と、脱落防止部材２３とを備える。電装品箱２１は、電装品４０を収納する。電装品箱２１は、樹脂製である。放熱部材２２は、電装品箱２１の外表面に固着される。放熱部材２２は、電装品４０から生じる熱を電装品箱２１の外部へ放出するための部材である。【選択図】      図２
2007085649.tif 000002
【特許請求の範囲】
【請求項１】
電装品（４０）を収納する樹脂製の電装品箱（２１）と、
前記電装品箱（２１）の外表面に固着され、前記電装品（４０）から生じる熱を前記電装品箱（２１）の外部へ放出するための放熱部材（２２）と、
前記放熱部材（２２）の脱落を防止する脱落防止部材（２３）と、
を備える、
電装品箱（２１）の組立体（２）。
【請求項２】
前記脱落防止部材（２３）は、さらに前記放熱部材（２２）を前記電装品箱（２１）の外部に発生する火から隔離する、
請求項１に記載の電装品箱（２１）の組立体（２）。
【請求項３】
前記脱落防止部材（２３）は、前記脱落防止部材（２３）の表面から外方へ突出するフランジ部（２５）を有する、
請求項１または２に記載の電装品箱（２１）の組立体（２）。
【請求項４】
前記フランジ部（２５）は、前記脱落防止部材（２３）の端部を外方へ折り曲げることにより形成されている、
請求項３に記載の電装品箱（２１）の組立体（２）。
【請求項５】
前記脱落防止部材（２３）は、前記放熱部材（２２）に対向する第１面から前記第１面と反対側の第２面へ貫通する開口（２８）を有する、
請求項１に記載の電装品箱（２１）の組立体（２）。
【請求項６】
前記電装品（４０）は、プリント基板（４１）に装着された発熱部品（４２）を含む、
請求項１から５のいずれかに記載の電装品箱（２１）の組立体（２）。
【請求項７】
前記放熱部材（２２）は、前記発熱部品（４２）に密着している、
請求項６に記載の電装品箱（２１）の組立体（２）。
【請求項８】
請求項１に記載の電装品箱（２１）の組立体（２）を空気調和機の室外機（１）に取り付けるための取付構造であって、
前記室外機（１）は、
ファンモータ（８）が取り付けられるファンモータ台（６）と、
圧縮機（５）の周囲を仕切る仕切板（７）と、
を備えており、
前記電装品箱（２１）の組立体（２）は、前記脱落防止部材（２３）が前記ファンモータ台（６）と前記仕切板（７）とにそれぞれ支持されるように、前記室外機（１）に取り付けられている、
電装品箱（２１）の組立体（２）の取付構造。
【請求項９】
請求項１に記載の電装品箱（２１）の組立体（２）を空気調和機の室外機（１）に取り付けるための取付構造であって、
前記室外機（１）は、ファン（４）の周囲を覆うベルマウス（１０）を備えており、
前記脱落防止部材（２３）は、前記脱落防止部材（２３）の表面から外方へ突出するフランジ部（２５）を有しており、
前記電装品箱（２１）の組立体（２）は、前記フランジ部（２５）が前記ベルマウス（１０）の開口縁（１０ａ）の周辺近傍に配置されるように、前記室外機（１）に取り付けられている、
電装品箱（２１）の組立体（２）の取付構造。
【発明の詳細な説明】
【技術分野】
【０００１】
本発明は、電装品箱の組立体およびその取付構造に関する。
【背景技術】
【０００２】
従来の室外機では、特許文献１記載のように、室外機内部に電装品箱が内蔵されている。電装品箱は、下部カバーによって保持されている。下部カバーは、圧縮機の周囲を仕切る仕切板の上部に取り付けられている。下部カバーは、仕切板の上部に形成された切欠部に挿入されている。下部カバーに設けられた前方フランジおよび下方フランジは、切欠部周縁に重合されている。
【特許文献１】２００２−５４７７号公報
【発明の開示】
【発明が解決しようとする課題】
【０００３】
従来では、室外機の近傍で火災が発生し、室外機に延焼した際に、樹脂製の電装品箱が溶けることで、放熱フィンや下部カバーなどの部品が落下するおそれがある。電装品箱から放熱フィンや下部カバーなどの部品が脱落することによって、火が電装品箱の中まで回り込み、電装品箱内部のプリント基板が火で直接焼かれることがある。このようにプリント基板が火で直接焼かれた場合、その後の調査において、発火源がプリント基板であるか室外機の外部であるか見分けがつかなくなり、発火源の特定ができなくなるという問題がある。
【０００４】
本発明の課題は、火災時において電装品箱から部品が落下することを防止するとともに電装品箱内部に火が回り込むことを防止することができる電装品箱の組立体およびその取付構造を提供することにある。
【課題を解決するための手段】
【０００５】
第１発明の電装品箱の組立体は、電装品箱と、放熱部材と、脱落防止部材とを備える。電装品箱は、電装品を収納する。電装品箱は、樹脂製である。放熱部材は、電装品箱の外表面に固着される。放熱部材は、電装品から生じる熱を電装品箱の外部へ放出するための部材である。脱落防止部材は、放熱部材の脱落を防止する。
ここでは、電装品箱の組立体が電装品箱に固着された放熱部材の脱落を防止する脱落防止部材を備えているので、火災時において放熱部材が脱落することを防止し、電装品箱内部に火が回り込むことを防止することが可能である。
【０００６】
第２発明の電装品箱の組立体は、第１発明の電装品箱の組立体であって、脱落防止部材は、さらに放熱部材を火から隔離する。火は、電装品箱の外部に発生する。
ここでは、脱落防止部材は、放熱部材の脱落防止だけでなく、さらに電装品箱の外部に発生する火から放熱部材を隔離することが可能である。
【０００７】
第３発明の電装品箱の組立体は、第１発明または第２発明の電装品箱の組立体であって、脱落防止部材は、フランジ部を有する。フランジ部は、脱落防止部材の表面から外方へ突出する。
ここでは、脱落防止部材がその表面から外方へ突出するフランジ部を有するので、電装品箱の外部に発生する火が放熱部材へ回り込むことを防止することが可能である。
【０００８】
第４発明の電装品箱の組立体は、第３発明の電装品箱の組立体であって、フランジ部は、脱落防止部材の端部を外方へ折り曲げることにより形成されている。
ここでは、フランジ部が脱落防止部材の端部を外方へ折り曲げることにより形成されているので、フランジ部を脱落防止部材と容易に一体成形することが可能である。
第５発明の電装品箱の組立体は、第１発明の電装品箱の組立体であって、脱落防止部材は、開口を有する。開口は、第１面から第２面へ貫通する。第１面は、放熱部材に対向する。第２面は、第１面と反対側である。
ここでは、脱落防止部材が放熱部材に対向する第１面からその第１面と反対側の第２面へ貫通する開口を有するので、放熱部材を通る風の流れを良くすることが可能である。
【０００９】
第６発明の電装品箱の組立体は、第１発明から第５発明のいずれかの電装品箱の組立体であって、電装品は、発熱部品を含む。発熱部品は、プリント基板に装着されている。
ここでは、電装品がプリント基板に装着された発熱部品を含む場合でも、発熱部品から生じる熱を放熱部材によって電装品箱の外部へ放出することが可能である。
第７発明の電装品箱の組立体は、第６発明の電装品箱の組立体であって、放熱部材は、発熱部品に密着している。
ここでは、放熱部材が発熱部品に密着しているので、発熱部品から放熱部材へ熱が直接に伝導し、放熱性能が向上している。
【００１０】
第８発明の電装品箱の組立体の取付構造は、第１発明の電装品箱の組立体を空気調和機の室外機に取り付けるための取付構造である。室外機は、ファンモータが取り付けられるファンモータ台と、圧縮機の周囲を仕切る仕切板とを備えている。電装品箱の組立体は、脱落防止部材がファンモータ台と仕切板とにそれぞれ支持されるように、室外機に取り付けられている。
ここでは、脱落防止部材がファンモータ台と仕切板とに支持されているので、火災時において脱落防止部材が落下するのを防止することが可能である。
【００１１】
第９発明の電装品箱の組立体の取付構造は、第１発明の電装品箱の組立体を空気調和機の室外機に取り付けるための取付構造である。室外機は、ファンの周囲を覆うベルマウスを備えている。脱落防止部材は、フランジ部を有している。フランジ部は、脱落防止部材の表面から外方へ突出する。電装品箱の組立体は、フランジ部がベルマウスの開口縁の周辺近傍に配置されるように、室外機に取り付けられている。
【００１２】
ここでは、脱落防止部材のフランジ部がベルマウスの開口縁の周辺近傍に配置されているので、電装品箱の外部に発生する火がベルマウス開口縁から放熱部材へ回り込むことを防止することが可能である。
【発明の効果】
【００１３】
第１発明によれば、火災時において放熱部材が脱落することを防止し、電装品箱内部に火が回り込むことを防止することができる。
第２発明によれば、放熱部材を電装品箱の外部に発生する火から隔離することができる。
第３発明によれば、電装品箱の外部に発生する火が放熱部材へ回り込むことを防止することができる。
【００１４】
第４発明によれば、フランジ部を脱落防止部材と容易に一体成形することができる。
第５発明によれば、放熱部材を通る風の流れを良くすることができる。
第６発明によれば、発熱部品から生じる熱を放熱部材によって電装品箱の外部へ放出することができる。
第７発明によれば、放熱性能が向上する。
【００１５】
第８発明によれば、火災時において脱落防止部材が落下するのを防止することができる。
第９発明によれば、電装品箱の外部に発生する火がベルマウス開口縁から放熱部材へ回り込むことを防止することができる。
【発明を実施するための最良の形態】
【００１６】
つぎに図面を参照しながら、本発明の電装品箱の組立体およびその取付構造について説明する。
＜室外機１の構成＞
図１に示される空気調和機の室外機１には、電装品箱２１の組立体である電装品箱組立体２が取り付けられている。
【００１７】
室外機１は、主要な構成として、電装品箱組立体２と、室外熱交換器３と、ファン４と、圧縮機５と、ファンモータ台６と、仕切板７とを備えている。
室外熱交換器３は、冷媒と室外空気との間で熱交換を行う。
ファン４は、室外熱交換器３に室外空気を供給するための空気流れを生成する。ファン４は、ファンモータ８と、ファンモータ８によって回転駆動されるプロペラファン９とを備えている。プロペラファン９は、樹脂で製造されている。
【００１８】
プロペラファン９の周囲には、ベルマウス１０が配置されている。
圧縮機５は、冷媒を圧縮する。
ファンモータ台６は、ファン４のファンモータ８が取り付けられる台である。
仕切板７は、圧縮機５の周囲を仕切ることにより、室外熱交換器３およびファン４を含む熱交換部分と圧縮機５とを空間的に分離している。
【００１９】
＜電装品箱組立体２の構成＞
電装品箱組立体２は、図２〜図７に示されるように、電装品箱２１と、ヒートシンク２２と、脱落防止部材２３と、蓋２４とを備えている。
電装品箱２１は、樹脂で製造されており、電装品４０を収納する。
電装品箱２１に収納される電装品４０は、図６に示されるように、プリント基板４１と、プリント基板４１に装着された発熱部品４２とを含んでいる。発熱部品４２は、動作時に発熱する電子部品であり、例えば、電力制御用のパワートランジスタ等である。
【００２０】
ヒートシンク２２は、電装品箱２１の底面外側に固着され、電装品４０から生じる熱を電装品箱２１の外部へ放出するための放熱部材である。
ヒートシンク２２は、図５に示されるように、台座部分２２ａと、台座部分２２ａの下面に等間隔に設けられた複数の放熱フィン２２ｂとを有している。ヒートシンク２２は、放熱フィン２２bが電装品箱２１の底面に対して垂直方向を向くように、電装品箱２１の底面に取り付けられている。
【００２１】
ヒートシンク２２は、熱伝導性のよいアルミニウム合金などの金属材料で製造されている。ヒートシンク２２は、台座部分２２ａが電装品箱２１の底面外側に係合またはネジ止め等によって固着されている。
図６に示されるように、電装品箱２１の底面における発熱部品４２近傍の部分には開口２１ａが形成されている。ヒートシンク２２の台座部分２２ａは、開口２１ａを通して、発熱部品４２に密着している。これにより、発熱部品４２から生じる熱をヒートシンク２２によって電装品箱２１の外部へ放出することができる。
【００２２】
脱落防止部材２３は、図４に示されるように、第１部分２３ａと、第２部分２３ｂとから構成されている。脱落防止部材２３は、第１部分２３ａと第２部分２３ｂとが合体された状態で、ネジ止め等の公知の固着方法によって電装品箱２１に固着されている。
脱落防止部材２３は、ヒートシンク２２の脱落防止だけでなく、さらにヒートシンク２２を電装品箱２１の外部に発生する火からヒートシンク２２を隔離し、いいかえれば、脱落防止部材２３が遮熱板の役割をする。具体的には、脱落防止部材２３は、図３に示されるように、ヒートシンク２２を下方から覆っているので、室外機１近傍で発生した火災がファン４のプロペラファン９等の樹脂部分に延焼した場合であっても、脱落防止部材２３は、ファン４のプロペラファン９等の樹脂部分に付いた火からヒートシンク２２を隔離することが可能である。
【００２３】
脱落防止部材２３は、図３および図７に示されるように、脱落防止部材２３の表面から外方へ突出するフランジ部２５を有する。これにより、電装品箱２１の外部に発生する火がヒートシンク２２へ回り込むことを防止することが可能である。
フランジ部２５は、脱落防止部材２３の端部を外方へ折り曲げることにより形成されている。これにより、フランジ部２５を脱落防止部材２３と容易に一体成形することが可能である。この場合、脱落防止部材２３およびフランジ部２５は、金属薄板で製造すれば、加工容易でかつ定形性にすぐれているので好ましい。
【００２４】
脱落防止部材２３は、図４および図６に示されるように、ヒートシンク２２に対向する内面２６からその内面２６と反対側の外面２７へ貫通する複数のスリット２８を有する。これにより、ヒートシンク２２を通る風の流れ（図６の空気流れＦ１）を良くすることが可能である。
蓋２４は、電装品箱２１の上部を覆う。蓋２４は、金属薄板によって製造されており、電装品箱２１の内部の電装品４０を電装品箱２１の外部に発生する火から保護している。
【００２５】
＜電装品箱組立体２の取付構造＞
電装品箱組立体２は、図２に示されるように、脱落防止部材２３がファンモータ台６と仕切板７とにそれぞれ支持されるように、室外機１に取り付けられている。具体的には、脱落防止部材２３の上端縁から水平に延びる第１フランジ部２９がファンモータ台６上部の水平部分６ａの上に載せられ、脱落防止部材２３下部の三角形状の第２フランジ部３０が仕切板７上部に形成された切欠７ａの水平縁部７ｂの上に載せられている。これにより、火災時において電装品箱２１が溶融して脱落防止部材２３と電装品箱２１との固着状態が維持できなくなっても、脱落防止部材２３の落下を防止し、電装品箱２１内部に火が回り込むことを防止することが可能である。
【００２６】
また、電装品箱組立体２は、図６に示されるように、脱落防止部材２３のフランジ部２５がベルマウス１０の開口縁１０ａの周辺近傍に配置されるように、室外機１に取り付けられている。これにより、開口縁１０ａとフランジ部２５とによって複雑に入り組んだ空気流路３１を形成している。これにより、電装品箱２１の外部に発生する火がベルマウス１０の開口縁１０ａからヒートシンク２２へ回り込むことを防止している。
【００２７】
＜特徴＞
（１）
実施形態の電装品箱組立体２は、電装品箱２１に固着されたヒートシンク２２の脱落を防止する脱落防止部材２３を備えているので、火災時においてヒートシンク２２が脱落することを防止し、電装品箱２１の内部に火が回り込むことを防止することが可能である。
【００２８】
（２）
実施形態の電装品箱組立体２では、脱落防止部材２３は、ヒートシンク２２の脱落防止だけでなく、さらに電装品箱２１の外部に発生する火から隔離することが可能である。
（３）
実施形態の電装品箱組立体２では、脱落防止部材２３がその表面から外方へ突出するフランジ部２５を有するので、電装品箱２１の外部に発生する火がヒートシンク２２へ回り込むことを防止することが可能である。
【００２９】
（４）
実施形態の電装品箱組立体２では、フランジ部２５が脱落防止部材２３の端部を外方へ折り曲げることにより形成されているので、フランジ部２５を脱落防止部材２３と容易に一体成形することが可能である。
（５）
実施形態の電装品箱組立体２では、脱落防止部材２３がヒートシンク２２に対向する内面２６からその内面２６と反対側の外面２７へ貫通するスリット２８を有するので、ヒートシンク２２を通る風の流れを良くすることが可能である。
【００３０】
（６）
実施形態の電装品箱組立体２では、電装品４０がプリント基板４１に装着された発熱部品４２を含む場合でも、発熱部品４２から生じる熱をヒートシンク２２によって電装品箱２１の外部へ放出することが可能である。
（７）
実施形態の電装品箱組立体２では、ヒートシンク２２が発熱部品４２に密着しているので、発熱部品４２からヒートシンク２２へ熱が直接に伝導し、放熱性能が向上している。
【００３１】
（８）
実施形態の電装品箱組立体２の取付構造では、脱落防止部材２３がファンモータ台６と仕切板７とに支持されているので、火災時において脱落防止部材２３が落下するのを防止することが可能である。
（９）
実施形態の電装品箱組立体２の取付構造では、脱落防止部材２３のフランジ部２５がベルマウス１０の開口縁１０ａの周辺近傍に配置されているので、電装品箱２１の外部に発生する火がベルマウス１０の開口縁１０ａからヒートシンク２２へ回り込むことを防止することが可能である。
【００３２】
＜変形例＞
上記の実施形態では、ヒートシンク２２は、放熱フィン２２bが電装品箱２１の底面に対して垂直方向を向くように、電装品箱２１の底面に取り付けられているが、本発明はこれに限定されるものではなく、放熱フィンが水平方向（すなわち、電装品箱２１の底面に対して平行）に取り付けられた場合でも、本発明の電装品箱組立体２の取付構造を適用することは可能である。
【産業上の利用可能性】
【００３３】
本発明の電装品箱の組立体およびその取付構造は、電装品箱の組立体を内蔵する機器全般に適用され、とくに空気調和機の室外機における電装品箱の組立体の取付構造に好適に適用される。
【図面の簡単な説明】
【００３４】
【図１】本発明の電装品箱組立体が取り付けられた空気調和機の室外機の構成図。
【図２】図１の電装品箱組立体の取付構造を示す分解斜視図。
【図３】図１の電装品箱組立体の取付構造を示す正面図。
【図４】図２の脱落防止部材の分解斜視図。
【図５】図２のヒートシンクの斜視図。
【図６】図２のヒートシンク近傍の空気の流れを示す図。
【図７】図２のヒートシンク周辺部分の拡大図。
【符号の説明】
【００３５】
１  室外機
２  電装品箱組立体
３  室外熱交換器
４  ファン
５  圧縮機
６  ファンモータ台
７  仕切板
２１  電装品箱
２２  ヒートシンク
２３  脱落防止部材
２５  フランジ部
２８  スリット
【図１】
2007085649.tif 000003
【図２】
2007085649.tif 000004
【図３】
2007085649.tif 000005
【図４】
2007085649.tif 000006
【図５】
2007085649.tif 000007
【図６】
2007085649.tif 000008
【図７】
2007085649.tif 000009